(57)【要約】  互いに距離を隔てて、後続の印刷媒体用紙を搬送するための印刷媒体搬送路を画定する、第１印刷媒体ガイド部材と第２印刷媒体ガイド部材とを備える、印刷媒体保湿ユニットであって、第１平面における噴霧の供給を行うための、第１の実質的に平面的な噴霧アセンブリと、第２平面における噴霧の供給を行うための、第２の実質的に平面的な噴霧アセンブリとを更に備え、前記第１の実質的に平面的な噴霧アセンブリ及び第２の実質的に平面的な噴霧アセンブリは、第１平面及び前記第２平面が印刷媒体搬送路の外部で交差するように構成された、印刷媒体保湿ユニット。
2015515427.tif 000002
【特許請求の範囲】
【請求項１】
互いに距離を隔てて、後続の印刷媒体用紙を搬送するための印刷媒体搬送路を画定する、第１印刷媒体ガイド部材と第２印刷媒体ガイド部材とを備える、印刷媒体保湿ユニットであって、
第１平面における噴霧の供給を行うための、第１の実質的に平面的な噴霧アセンブリと、
第２平面における噴霧の供給を行うための、第２の実質的に平面的な噴霧アセンブリと、
を更に備え、
前記第１の実質的に平面的な噴霧アセンブリ及び前記第２の実質的に平面的な噴霧アセンブリは、前記第１平面及び前記第２平面が前記印刷媒体搬送路の内部で交差しないように構成された、
印刷媒体保湿ユニット。
【請求項２】
前記第１平面及び前記第２平面は、前記印刷媒体搬送路の外部で交差する、請求項１に記載の印刷媒体保湿ユニット。
【請求項３】
前記第１平面及び前記第２平面は、実質的に互いに平行に配向される、請求項１に記載の印刷媒体保湿ユニット。
【請求項４】
前記第１の実質的に平面的な噴霧アセンブリは、前記印刷媒体搬送路の第１側部に取り付けられ、前記第２の実質的に平面的な噴霧アセンブリは、前記第１側部と対向する前記印刷媒体搬送路の第２側部に取り付けられる、請求項１に記載の印刷媒体保湿ユニット。
【請求項５】
前記第１の実質的に平面的な噴霧アセンブリ及び前記第２の実質的に平面的な噴霧アセンブリは、回転可能な皿を備え、前記第１平面及び前記第２平面それぞれにおいて配向される、請求項１に記載の印刷媒体保湿ユニット。
【請求項６】
前記第１の実質的に平面的な噴霧アセンブリ及び前記第２の実質的に平面的な噴霧アセンブリのそれぞれの前記回転可能な皿の上に、制御可能に水を供給するための水供給手段を更に備える、請求項５に記載の印刷媒体保湿ユニット。
【請求項７】
前記第１の実質的に平面的な噴霧アセンブリと前記第２の実質的に平面的な噴霧アセンブリとの間に用紙がないことを決定するための手段を更に備え、
前記第１の実質的に平面的な噴霧アセンブリと前記第２の実質的に平面的な噴霧アセンブリとの間に用紙がない場合、前記第１平面及び前記第２平面それぞれにおける前記噴霧の供給は減る、請求項１に記載の印刷媒体保湿ユニット。
【請求項８】
前記第１の実質的に平面的な噴霧アセンブリと前記第２の実質的に平面的な噴霧アセンブリとの間の用紙におけるカール量に関連した測定を決定するための手段を更に備え、
前記第１平面及び前記第２平面それぞれにおける前記噴霧の供給は、前記第１の実質的に平面的な噴霧アセンブリと前記第２の実質的に平面的な噴霧アセンブリとの間の用紙における前記カール量を正すように調整可能である、請求項１に記載の印刷媒体保湿ユニット。
【請求項９】
印刷媒体入力ステーションと印刷媒体出力ステーションとを備え、印刷媒体を後処理するための後処理装置であって、
請求項１から６のいずれか一項に記載の印刷媒体保湿ユニット、
を更に備える、後処理装置。
【請求項１０】
印刷媒体搬送路に沿って後続の印刷媒体用紙を供給するための、媒体供給ステーションと、
印刷媒体に画像を適用するための前記印刷媒体搬送路に沿って配置された印刷ステーションと、
請求項１から６のいずれか一項に記載の印刷媒体保湿ユニットと、
を備える、印刷システム。
【請求項１１】
請求項１０に記載の印刷システムを備える書籍生産システムであって、
処理された印刷媒体の用紙を収集し、そして前記処理された印刷媒体の用紙を続いて綴じて、書籍を形成するように構成された、書籍製本ステーション、
を更に備える、書籍生産システム。
【発明の詳細な説明】
【技術分野】
【０００１】
本発明は、概ね、印刷媒体保湿ユニットに関する。更に、本発明はこのような印刷媒体保湿ユニットを備える、後処理装置、印刷システム及び書籍生産システムに関する。
【背景技術】
【０００２】
印刷媒体保湿ユニットは、次のようなものが知られている。書籍生産システムにおいて、印刷媒体のウェブ（ｗｅｂｓ  ｏｆ  ｐｒｉｎｔ  ｍｅｄｉａ）の使用が一般的であり、これは連続給紙方式プリンターとしても知られている。周知の印刷システムにおいて、印刷媒体のウェブは片面に連続的に噴霧され、通常、水である水分を均一に塗布し、ウェブの水分含量を調整する。周知のウェブ印刷システムの特定の実施形態において、２つの保湿ユニットが提示される。保湿ユニットは印刷媒体経路の同様の位置において印刷媒体のウェブの両側で配向され、通過する印刷媒体の反対側に水を噴霧する。
【０００３】
印刷媒体のウェブは、２つの水流を分離し、水分量を吸収する。２つの水流が交差する場合、水滴が形成され、印刷媒体搬送路は水分で溢れてしまう。
【発明の概要】
【０００４】
本発明の一態様において、印刷媒体保湿ユニットが設けられる。印刷媒体保湿ユニットは、第１印刷媒体ガイド部材及び第２印刷媒体ガイド部材を備える。第１印刷媒体ガイド部材及び第２印刷媒体ガイド部材は、互いに距離を隔て、後に続く印刷媒体の用紙を搬送するための印刷媒体搬送路を画定する。更に、印刷媒体保湿ユニットは、第１平面における噴霧の供給を行うための第１の実質的に平面的な噴霧アセンブリと、第２平面における噴霧の供給を行うための第２の実質的に平面的な噴霧アセンブリとを備える。第１の実質的に平面的な噴霧アセンブリ及び第２の実質的に平面的な噴霧アセンブリは、第１平面及び第２平面が印刷媒体搬送路の内部で、交差しないように構成される。
【０００５】
印刷媒体ガイド部材は、金属板、あるいは、例えばいくつかのステーションに沿った経路において印刷媒体をガイドするように構成された曲がりロッド（ｂｅｎｄ  ｒｏｄ）などの部材である。金属板の場合、搬送ニップが印刷媒体の用紙を搬送できるように、穴が設けられる。そして、噴霧が噴霧アセンブリから印刷媒体の用紙へと通過できるように、更なる開口が設けられる。第１印刷媒体ガイド部材と第２印刷媒体ガイド部材との間の体積は、印刷媒体搬送路として画定される。平面的な噴霧アセンブリは、実質的に平面的に延在する方向において水分の噴霧を供給する。実際、少量の噴霧は漏れ、他の軌道をたどることができる。しかし、噴霧の主方向は実質的に平面的である。互いに距離を隔てた印刷媒体の後続の用紙は、例えばＡ４、Ａ３、リーガルサイズ又は共通して使用されるその他任意の印刷媒体の用紙といった紙の用紙などの印刷媒体の用紙を分離する。最もよく知られる紙の用紙の場合のように、特に、印刷媒体の用紙が噴霧手段を通った後に剛度が低下する場合、印刷媒体ガイド部材は、実質的に用紙の搬送方向に延在するスレッド又は小さなスポークを含み、用紙のより強固な搬送を可能にする。
【０００６】
第１の実質的に平面的な噴霧アセンブリを起源とする第１平面が、印刷媒体搬送路の内部、つまり第１印刷媒体ガイド部材と第２印刷媒体ガイド部材との間で、第２の実質的に平面的な噴霧アセンブリを起源とする第２平面と交差しないように、第１及び第２の実質的に平面的な噴霧アセンブリは構成される。噴霧平面は、仮想平面であり、それに沿って主要噴霧が実質的に平面的な噴霧アセンブリから延在する。システムが互いにある程度の距離を隔てた印刷媒体の別の用紙を搬送する一方で、第１及び第２噴霧が出会い、平面が交差する場所で水滴を形成するか、あるいは、噴霧からの既存の水滴が印刷媒体搬送路に向かう軌道と衝突する可能性がある。
【０００７】
一実施形態において、第１平面及び第２平面が印刷媒体搬送路の外部で交差する。噴霧の平面が、第１印刷媒体ガイド部材と第２印刷媒体ガイド部材との間、例えば印刷媒体搬送路に対する第１又は第２印刷媒体ガイド部材の反対側で画定される体積の外部で交差するように、第１及び／又は第２の実質的に平面的な噴霧アセンブリを構成することによって、噴霧平面の交差から生じる水滴は、印刷媒体搬送路を通過しない。印刷媒体搬送路では、用紙の下流又は重力の下方向で水が溢れることにより、水滴が印刷媒体の用紙を損傷する可能性がある。
【０００８】
他の実施形態において、第１平面及び第２平面は、互いにオフセットして実質的に平行に配向される。用紙の反対側から印刷媒体に噴霧し、特に印刷媒体搬送路を含有する体積の内部では、第１及び第２噴霧平面は交差しない。
【０００９】
一実施形態において、印刷媒体搬送路の第１側部及び第２側部が噴霧アセンブリからのある程度の水分噴霧と共に提供できるように、第１の実質的に平面的な噴霧アセンブリは、印刷媒体搬送路の第１側部に取り付けられ、第２の実質的に平面的な噴霧アセンブリは、刷媒体搬送路の第２側部に取り付けられる。第２側部は、第１噴霧アセンブリと第２噴霧アセンブリとの間の印刷媒体の用紙に対し、第１側部と対向する。
【００１０】
一実施形態において、第１及び第２の実質的に平面的な噴霧アセンブリは、回転可能な皿を備え、第１及び第２平面それぞれにおいて配向される。回転皿の上に水分を滴下する間、この回転可能な皿を回転させることで、皿の平面配向に実質的に等しい主要平面方向において、実質的に平面的な噴霧が、回転皿から生じる。印刷媒体ガイド部材に特定の開口を設けることで、水分噴霧の平面の特定部分は、印刷媒体搬送路に達する。残りの水分噴霧は、印刷媒体ガイド部材を弾ませ、今後の塗布のために代替的に収集され得る。
【００１１】
更なる実施形態において、印刷媒体保湿ユニットは、それぞれ第１及び第２の実質的に平面的な噴霧アセンブリそれぞれの回転可能な皿の上に制御可能に水を供給するための水供給手段を更に備える。可撓管の長く伸びたホースを有する周知の送水ポンプが、滴状又は連続した流れで、回転皿の上に水を塗布することができる。
【００１２】
一実施形態において、印刷媒体保湿ユニットは、第１の実質的に平面的な噴霧アセンブリと第２の実質的に平面的な噴霧アセンブリとの間に用紙がないことを決定するための手段を更に備える。第１の実質的に平面な噴霧アセンブリと第２の実質的に平面な噴霧アセンブリとの間に用紙がない場合、第１及び第２平面それぞれへの噴霧の供給が減る。第１の実質的に平面な噴霧アセンブリと第２の実質的に平面な噴霧アセンブリとの間に用紙がない場合、水分の噴霧は、多くの場合好ましくない。一方で、用紙の有無を決定すること、そして用紙がない場合、例えば用紙の間の間隙が噴霧手段に沿って通るときに、噴霧量を減らすことは有益である。この場合の減らすとは、例えば、噴霧手段又は印刷媒体ガイド部材の開口におけるバルブ又はシャッターによって、実質的に噴霧が全くなくなるまで減らすということでもある。
【００１３】
一実施形態において、印刷媒体保湿ユニットは、第１の実質的に平面的な噴霧アセンブリと第２の実質的に平面的な噴霧アセンブリとの間の用紙におけるカール量に関連した測定を決定するための手段を更に備える。第１及び第２平面のそれぞれにおける噴霧の供給は、第１の実質的に平面的な噴霧アセンブリと第２の実質的に平面的な噴霧アセンブリとの間の用紙のカール量を正すように調整可能である。周知の印刷処理において、一定量の熱エネルギーが印刷媒体に加えられる。これにより、一定のカール量を印刷媒体に導入することになる。また、マーキング物質そのものは、例えば水性でよく、従って、用紙の前面と裏面との間における水分含量に差を導入する。その結果、カールが生じる。印刷媒体保湿ユニットで第１及び第２噴霧手段が異なる水分量を供給するように噴霧手段を制御することによって、カール量は減少するか、あるいはなくなる。
【００１４】
印刷媒体保湿ユニットは、例えば印刷エンジンに接続可能な、別の後処理ユニットに非常に有益に適用される。これにより、印刷された用紙は印刷媒体の水分含量を制御するために後処理される。
【００１５】
例えば、印刷媒体の用紙にマーキング物質を塗布する前又は後に、印刷媒体保湿ユニットは、有益に印刷システムに適用され得る。
【００１６】
印刷システムと、処理された印刷媒体の用紙を収集し、続いて本を形成するために処理された印刷媒体の用紙を綴じるように構成された製本ステーションとを備える、書籍生産システムにおいて、別々の用紙を綴じて本又は中本にした後、用紙に皺が寄らないように、印刷媒体の印刷された用紙を調整することが重要である。特に、製本し、その後に規定されたサイズに裁断するとき、ユーザーは皺や小口の波打ちに非常に容易に気づく。このようなシステムの更なる欠点は、この皺及び波打ちは一般的に印刷後、数日で生じてしまうということである。オンデマンド印刷の環境では、本は生産されると、直ちに顧客の元へ送付される。これによって、顧客が本を郵便サービスで受領するとき、この欠陥が書籍生産者に更なる費用をもたらしてしまう。印刷媒体の印刷媒体保湿ユニットを用いて水分含量を制御することによって、特に紙の用紙では、皺を有意に減少させることができる。
【００１７】
本発明の更なる適用範囲は、本明細書の以下の発明を実施するための形態から明らかになる。しかし、発明を実施するための形態及び特定の実施例は、本発明の実施形態を示す間、例示のためだけに用いられる。これは、この発明を実施するための形態から、本発明の範囲内におけるさまざまな変形及び変更が、当業者にとって明らかものになるからである。
【図面の簡単な説明】
【００１８】
本発明は、例示目的のためだけに用いられているに過ぎず、従って本発明を限定しない、本明細書の以下の発明を実施するための形態及び添付の概略図から、より十分に理解されるであろう。
【図１】水分噴霧源を概略的に示す図である。
【図２】本発明に従った印刷媒体保湿ユニットの概略的な断面図である。
【図３】本発明に従った印刷媒体保湿ユニットの概略的な断面図である。
【図４】本発明に従った印刷媒体保湿ユニットの概略的な斜視図である。
【発明を実施するための形態】
【００１９】
本発明を添付の図面を参照して説明する。同一又は同様の要素については、図面を通して同じ参照番号を使用する。
【００２０】
図１は、水分噴霧源５を概略的に示す。水分とは、本実施形態では水であるが、入口２０を介して水分噴霧源５に供給される。噴霧器本体３０の内部において、この入口２０は可撓性を有するゴムホースによって４つに枝分かれする。このホースは回転皿１０、１１、１２及び１３の中心に水滴を送り込むポンプ（図示しない）に接続されている。これらの回転皿は、回転可能に取り付けられ、電動のモータ３６によって駆動される。このポンプは、水の供給量を制御できるように制御可能であり、従って噴霧量を制御することができる。
【００２１】
図２は、本発明に従った印刷媒体保湿ユニットの断面図を概略的に示す。第１水分噴霧源５及び第２水分噴霧源６が設けられる。第１水分噴霧源５及び第２水分噴霧源６は、モータ３５及び３６によって駆動された回転皿１０及び１０’を備える。水分量が貯水部（図示しない）及び送水ポンプに接続されたゴムホース２５及び２６を用いて、これらの回転皿１０及び１０’の上に供給される。回転皿１０及び１０’の上に水分量を供給することによって、第１及び第２の実質的に平面的な噴霧器４０及び４１の水が、実質的には回転皿１０及び１０’の平面方向において、回転皿１０及び１０’から噴出される。本実施形態において、再利用のために余分な水が収集される、第２印刷媒体ガイド部材２２の左側において、第１及び第２の実質的に平面的な噴霧器４０及び４１が交差するように、第１及び第２の実質的に平面的な噴霧器４０及び４１が移動される。代替的に、第１及び第２の実質的に平面的な噴霧器４０及び４１は、他の第１印刷媒体ガイド部材２１の他方側において交差することができるということは明らかである。特に、第１及び第２の実質的に平面的な噴霧器４０及び４１が、第１印刷媒体ガイド部材２１と第２印刷媒体ガイド部材２２との間における体積として画定された印刷媒体搬送路７の内部で交差しないように、第１及び第２の実質的に平面的な噴霧器４０及び４１が構成される。印刷媒体の用紙は、第１水分噴霧源５及び第２水分噴霧源６に沿った第１印刷媒体ガイド部材２１と第２印刷媒体ガイド部材２２との間における体積を通った、印刷媒体搬送路７に沿って搬送される。第１印刷媒体ガイド部材２１及び第２印刷媒体ガイド部材２２内の開口が、第１水分噴霧源５及び第２水分噴霧源６から印刷媒体搬送路７内の印刷媒体への、第１及び第２の実質的に平面的な噴霧器４０及び４１の通過（ｐａｓｓ−ｔｈｒｏｕｇｈ）を調整する。
【００２２】
図３は、本発明に従った印刷媒体保湿ユニットの断面図を概略的に示している。第１水分噴霧源５及び第２水分噴霧源６が設けられる。第１水分噴霧源５及び第２水分噴霧源６は、モータ３５及び３６によって駆動された回転皿１０及び１０’を備える。水分量が貯水部（図示しない）及び送水ポンプに接続されたゴムホース２５及び２６を用いて、これらの回転皿１０及び１０’の上に供給される。回転皿１０及び１０’の上に水分量を供給することによって、第１及び第２の実質的に平面的な噴霧器４０及び４１の水が、実質的には回転皿１０及び１０’の平面方向において、回転皿１０及び１０’から噴出される。本実施形態において、第１及び第２の実質的に平面的な噴霧器４０及び４１は、互いに実質的に平行に移動され、オフセットを有する。これによって、第１及び第２の実質的に平面的な噴霧器４０及び４１は、第１印刷媒体ガイド部材２１と第２印刷媒体ガイド部材２２との間における体積として画定された、印刷媒体搬送路７の内部で交差しない。印刷媒体の用紙は、第１水分噴霧源５及び第２水分噴霧源６に沿った第１印刷媒体ガイド部材２１と第２印刷媒体ガイド部材２２との間における体積を通った、印刷媒体搬送路７に沿って搬送される。第１印刷媒体ガイド部材２１及び第２印刷媒体ガイド部材２２内の開口が、第１水分噴霧源５及び第２水分噴霧源６から印刷媒体搬送路７内の印刷媒体への、第１及び第２の実質的に平面的な噴霧器４０及び４１の通過（ｐａｓｓ−ｔｈｒｏｕｇｈ）を調整する。
【００２３】
図４は、本発明に従った印刷媒体保湿ユニットの斜視図を示す。噴霧源は明確にするため、除外する。第１印刷媒体ガイド部材２１と第２印刷媒体ガイド部材２２との間に画定された印刷媒体搬送路７は、例えばＡ４用普通紙（図示しない）などの紙の用紙を受け取るように構成される。ストリング（ｓｔｒｉｎｇ）５０が用紙の搬送方向において印刷媒体搬送路７の入口から出口へと延在し、そして用紙がユニットを通して搬送される間、用紙の搬送を支援する。これは、搬送方向における用紙の剛性を通常減らす水分を紙の用紙に噴霧するときに特に役立つ。ストリング５０は、用紙が搬送されている間、用紙を支え、第１印刷媒体ガイド部材２１及び第２印刷媒体ガイド部材２２における開口を通って噴霧器と実質的に干渉しない。
【００２４】
本発明の詳細な実施形態が本明細書において開示される。しかし、開示されている実施形態は、さまざまな形態で具体化することが可能な本発明の単なる例示に過ぎないということが理解されるべきである。従って、本明細書に開示されている特定の構造的及び機能的な詳細部分は、限定するものとして解釈されるべきではなく、特許請求の範囲のための基礎として、かつ、実質的に任意の適切な詳細な構造に本発明をさまざまな形で採用するように当業者に対して教示するための代表的な基礎として解釈されるべきである。特に、別々の従属請求項で提示及び記載される特徴は、組み合わせて適用され得るものであり、本明細書ではこのような請求項の任意の有益な組み合わせが開示される。
【００２５】
更に、本明細書で用いられる用語及び語句は、本発明を制限するものではなく、本発明を理解するための表現として示したものである。本明細書で使用されるように、「ａ」又は「ａｎ」は１つ以上を指すものとして定義される。本明細書で使用されるように、「複数の（ｐｌｕｒａｌｉｔｙ）」は２つ以上を指すものとして定義される。本明細書で使用されるように、「別の（ａｎｏｔｈｅｒ）」は少なくとも２番目又はそれ以降を指すものとして定義される。本明細書で使用されるように、「含む（ｉｎｃｌｕｄｉｎｇ）」及び／又は「有する（ｈａｖｉｎｇ）」は、「備える（ｃｏｍｐｒｉｓｉｎｇ）」（つまり、オープンランゲージ）の意味として定義される。本明細書で使用されるように、「結合される（ｃｏｕｐｌｅｄ）」は、必ずしも直接的でないものの、接続されるものとして定義される。
【００２６】
本発明はこのように記載されるが、同じことが多くの方法で変形できることは明らかである。このような変形は、発明の精神及び範囲から逸脱するものとして解釈されるべきではなく、当業者に明らかであるように、全てのこのような変更は、添付の特許請求の範囲内に含まれるように意図される。
【図１】
2015515427.tif 000003
【図２】
2015515427.tif 000004
【図３】
2015515427.tif 000005
【図４】
2015515427.tif 000006
【国際調査報告】
2015515427.tif 000007
2015515427.tif 000008